(57)【要約】【課題】遊技者に有利な状態の付与を確定するに際して、予測不可能な遊技性の多様化を図ることが可能な入賞装置を提供する。【解決手段】遊技球振り分け部６０にて、第２経路６２の上方で第２経路６２を閉鎖する位置と第２経路６２を開放する位置との間でスライド可能なスライド扉５２、スライド扉５２を移動させるソレノイド４２、及び、遊技球受け入れ孔５８から受け入れられた遊技球に衝突して遊技球の勢いを低減する緩衝壁６９を設け、スライド扉５２が第２経路６２を閉鎖する位置にある時には、遊技球受け入れ孔５８から受け入れられ緩衝壁６９に衝突した遊技球をスライド扉５２の上面に沿って第１経路６１に誘導案内する一方、スライド扉５２が第２経路６２を開放する位置にある時には、遊技球受け入れ孔５８から受け入れられた遊技球を緩衝壁６９に衝突させるとともに鉛直方向に落下させて第２経路６２に誘導案内するように構成する。【選択図】図８
2014200629.tif 000002
【特許請求の範囲】
【請求項１】
遊技球を受け入れる遊技球受け入れ孔と、
前記遊技球受け入れ孔に連続して形成された遊技球振り分け部と、
前記遊技球振り分け部に連続する第１経路及び第２経路とを備え、
前記遊技球受け入れ孔から受け入れられた遊技球を前記遊技球振り分け部にて前記第１経路又は第２経路に選択的に誘導する入賞装置を備えた遊技機において、
前記遊技球振り分け部に配設され、前記第２経路の上方で第２経路を閉鎖する第１位置と第２経路を開放する第２位置との間でスライド可能なスライド部材と、
前記スライド部材を第２経路を閉鎖する第１位置と、第２経路を閉鎖する第２位置に移動させる駆動源と、
前記遊技球振り分け部にて、前記遊技球受け入れ孔から受け入れられた遊技球に衝突して遊技球の勢いを低減する緩衝壁とを有し、
前記スライド部材が前記第１位置の時は前記遊技球受け入れ孔から受け入れられ前記緩衝壁に衝突した遊技球を前記スライド部材の上面に沿って前記第１経路に誘導案内する一方、前記スライド部材が前記第２位置の時に遊技球受け入れ孔から受け入れられた遊技球を前記緩衝壁に衝突させるとともに鉛直方向に落下させて第２経路に誘導案内することを特徴とする入賞装置。
【請求項２】
前記第２経路の入口に設けられ、前記遊技球振り分け部にて振り分けられた遊技球が通過する入口孔を有し、
前記緩衝壁の壁面と前記入口孔の外端縁とは、同一垂直線上に配置されていることを特徴とする請求項１に記載の入賞装置。
【請求項３】
前記入口孔の外端縁における外側近傍位置に、入口孔の内側に向かって下方に傾斜する傾斜部が形成されていることを特徴とする請求項２に記載の入賞装置。
【請求項４】
前記遊技球受け入れ孔から受け入れられた遊技球を前記遊技球振り分け部に誘導案内する案内部材を有し、
前記緩衝壁の下端縁は、少なくとも前記案内部材の先端縁との同一水平線上、若しくは
前記水平線よりも下方に配置されていることを特徴とする請求項１乃至請求項３のいずれかに記載の入賞装置。
【発明の詳細な説明】
【技術分野】
【０００１】
本発明はパチンコ遊技機に使用される入賞装置に関し、特に、遊技者に有利な状態の付与を確定するに関して、予測不可能な遊技性の多様化を実現可能な入賞装置に関するものである。
【背景技術】
【０００２】
一般に、所謂、デジパチと称される第１種パチンコ遊技機では、例えば、始動口に入球することに基づき遊技者に有利な状態（高確率状態）を付与することが行われている。この種のパチンコ機では、制御装置により内部で抽選を行って高確率状態を付与するかどうかを確定し、その確定結果を液晶ディスプレイに表示するように構成されている。
【先行技術文献】
【特許文献】
【０００３】
【特許文献１】特開２０００−６１０４５号公報
【発明の概要】
【発明が解決しようとする課題】
【０００４】
しかしながら、前記のように、パチンコ遊技機の制御装置で内部的に抽選を行い、遊技者に有利な高確率状態の付与を確定するように構成した場合、高確率状態の付与の確定に関しては、まだまだ遊技性に乏しいものである。
【０００５】
ところで、前記したパチンコ遊技機とは異なり、始動口に入球することに基づき遊技者に有利な高確率状態を付与するかどうかを確定するについて、先ず、制御装置で内部的に高確率状態を付与するかどうかを抽選を行い、抽選の結果高確率モードへ移行可能な状態（この状態では高確率状態への移行が確定していない）を設定し、この後、パチンコ遊技機における特定の領域に入球した時点で高確率モードへの移行を確定するように構成されたパチンコ遊技機が存在する。
しかしながら、かかるパチンコ遊技機においても、遊技者に有利な高確率状態の付与を確定するに関しては遊技性の点でまだまだ工夫が十分ではなく、予測不可能な遊技性の多様化を図ることは困難なものである。
【０００６】
本発明は前記問題を解消するためになされたものであり、遊技者に有利な状態の付与を確定するに際して、予測不可能な遊技性の多様化を図ることが可能な入賞装置を提供することを目的とする。
【課題を解決するための手段】
【０００７】
前記目的を達成するため本願の請求項１に係る入賞装置は、遊技球を受け入れる遊技球受け入れ孔と、前記遊技球受け入れ孔に連続して形成された遊技球振り分け部と、前記遊技球振り分け部に連続する第１経路及び第２経路とを備え、前記遊技球受け入れ孔から受け入れられた遊技球を前記遊技球振り分け部にて前記第１経路又は第２経路に選択的に誘導する入賞装置を備えた遊技機において、前記遊技球振り分け部に配設され、前記第２経路の上方で第２経路を閉鎖する第１位置と第２経路を開放する第２位置との間でスライド可能なスライド部材と、前記スライド部材を第２経路を閉鎖する第１位置と、第２経路を閉鎖する第２位置に移動させる駆動源と、前記遊技球振り分け部にて、前記遊技球受け入れ孔から受け入れられた遊技球に衝突して遊技球の勢いを低減する緩衝壁とを有し、前記スライド部材が前記第１位置の時は前記遊技球受け入れ孔から受け入れられ前記緩衝壁に衝突した遊技球を前記スライド部材の上面に沿って前記第１経路に誘導案内する一方、前記スライド部材が前記第２位置の時に遊技球受け入れ孔から受け入れられた遊技球を前記緩衝壁に衝突させるとともに鉛直方向に落下させて第２経路に誘導案内することを特徴とする。
【０００８】
請求項２に係る入賞装置は、請求項１の入賞装置において、前記第２経路の入口に設けられ、前記遊技球振り分け部にて振り分けられた遊技球が通過する入口孔を有し、前記緩衝壁の壁面と前記入口孔の外端縁とは、同一垂直線上に配置されていることを特徴とする。
【０００９】
請求項３に係る入賞装置は、請求項２の入賞装置において、前記入口孔の外端縁における外側近傍位置に、入口孔の内側に向かって下方に傾斜する傾斜部が形成されていることを特徴とする。
【００１０】
請求項４に係る入賞装置は、請求項１乃至請求項３のいずれかの入賞装置において、前記遊技球受け入れ孔から受け入れられた遊技球を前記遊技球振り分け部に誘導案内する案内部材を有し、前記緩衝壁の下端縁は、少なくとも前記案内部材の先端縁との同一水平線上、若しくは前記水平線よりも下方に配置されていることを特徴とする。
【発明の効果】
【００１１】
請求項１に係る入賞装置では、遊技球振り分け部にて、第２経路の上方で第２経路を閉鎖する第１位置と第２経路を開放する第２位置との間でスライド可能なスライド部材、スライド部材を第２経路を閉鎖する第１位置と、第２経路を閉鎖する第２位置に移動させる駆動源、及び、遊技球受け入れ孔から受け入れられた遊技球に衝突して遊技球の勢いを低減する緩衝壁を設け、スライド部材が第１位置の時は遊技球受け入れ孔から受け入れられ緩衝壁に衝突した遊技球をスライド部材の上面に沿って第１経路に誘導案内する一方、スライド部材が第２位置の時に遊技球受け入れ孔から受け入れられた遊技球を緩衝壁に衝突させるとともに鉛直方向に落下させて第２経路に誘導案内するように構成したので、遊技球受け入れ孔から入賞装置内に入球した遊技球を必要に応じて選択的に第１経路又は第２経路に確実に誘導案内することができる。従って、第１経路と第２経路のいずれか一方の経路に入球することにより遊技者に有利な状態を現出する遊技機において、遊技球を必要に応じて選択的に第１経路又は第２経路に確実に誘導案内可能であるから、遊技者に有利な状態を確定するに際して予測不可能な遊技性の多様化を図ることができる。
ここに、遊技球を第２経路に入球させることにより遊技者に有利な状態を確定するように構成されている場合、遊技球振り分け部に緩衝壁を設け、遊技球受け入れ孔から受け入れられた遊技球と緩衝壁とを衝突させることにより遊技球の勢いを低減することが可能となり、第２経路が緩衝壁の鉛直方向に存在している場合においても遊技球を緩衝壁に衝突した後に鉛直方向に落下させて確実に第２経路に確実に誘導案内することが可能となる。
【００１２】
請求項２に係る入賞装置では、第２経路の入口に入口孔を設け、緩衝壁の壁面と入口孔の外端縁とを、同一垂直線上に配置するように構成したので、緩衝壁で勢いが低減された遊技球が鉛直方向に落下する場合においても、遊技球を略確実に入口孔に入球させることが可能となる。
【００１３】
請求項３に係る入賞装置では、入口孔の外端縁における外側近傍位置に、入口孔の内側に向かって下方に傾斜する傾斜部を形成したので、傾斜部を介して遊技球振り分け部にて振り分けられて第２経路に向かって落下してくる遊技球を入口孔に誘導案内して入口孔から第２経路に確実に誘導案内することが可能となる。
【００１４】
請求項４に係る入賞装置では、遊技球受け入れ孔から受け入れられた遊技球を遊技球振り分け部に誘導案内する案内部材を設け、緩衝壁の下端縁を、少なくとも案内部材の先端縁との同一水平線上、若しくは水平線よりも下方に配置したので、案内部材により案内され、案内部材の先端縁を通過する遊技球を確実に緩衝壁に衝突させて遊技球の勢いを低減することができる。
また、緩衝壁の下端縁を前記同一水平線よりも下方に配置した場合には、案内部材の先端縁を通過する遊技球を確実に緩衝壁に衝突させるとともに、更に鉛直方向へ確実に誘導案内することが可能となる。
【図面の簡単な説明】
【００１５】
【図１】パチンコ機の正面図である。
【図２】遊技盤に配設されるセンター役物の正面図である。
【図３】入賞装置の入賞口の開閉を行う入賞扉を駆動する駆動機構の未作動状態を示す斜視図である。
【図４】未作動状態に対応する駆動機構の分解斜視図である。
【図５】入賞装置の入賞口の開閉を行う入賞扉を駆動する駆動機構の作動状態を示す斜視図である。
【図６】作動状態に対応する駆動機構の分解斜視図である。
【図７】入賞装置の未作動状態を示す説明図である。
【図８】入賞装置の作動状態を示す説明図である。
【図９】入賞装置の他の例を示す説明図である。
【発明を実施するための形態】
【００１６】
以下、本発明に係る入賞装置をパチンコ遊技機にて具体化した実施形態に基づき、図面を参照しつつ説明する。図１に示すように、本実施形態のパチンコ遊技機１の遊技盤２には、ガイドレール３で囲まれたほぼ円形の遊技領域４が形成され、この遊技領域４の略中央部にはセンター役物５が配設されている。センター役物５の内側には、表示装置６が配設されている。
【００１７】
表示装置６の左側辺とガイドレール３との間には、風車７が設けられている。表示装置６の下方には、始動入賞口８、下側入賞口８Ａ、大入賞口９及び外れ球受け入れ口１０が、間隔を開けて並べて設けられている。遊技領域４に配設されたセンター役物５の右側には、始動ゲート１１が設けられている。さらに、遊技領域４全体に亘って、図示しない複数の障害釘が起立している。
【００１８】
パチンコ遊技機１の遊技盤２より下方には、上皿１２及び下皿１３が上下２段にして設けられている。そして、下皿１３の右端部に設けた操作ノブ１４を操作することで、上皿１２に収容された遊技球が遊技盤２に向けて弾き出される。また、遊技盤２の上方の両側位置には、スピーカ１５、１５が備えられている。
【００１９】
次に所要の各部位について詳説する。
始動ゲート１１は、門形構造をなしかつ検出スイッチを内蔵し、始動ゲート１１を通過した遊技球が検出スイッチにて検出される。そして、その検出信号に基づいて、表示装置６に設けられた普通図柄表示領域の図柄が変動表示される。
【００２０】
始動入賞口８は、所謂、ポケット構造をなして上方に向かって開口しており、かかる始動入賞口８の開口幅は、遊技球が約１つ入る大きさになっている。
始動入賞口８に遊技球が入賞すると、始動入賞口８内に設けた検出スイッチが遊技球を検出し、その検出信号に基づいてカウンタから乱数が取得されるとともにその取得された乱数と大当たり抽選テーブルとを参照して大当たり抽選が行われる。かかる大当たり抽選の結果に基づいて表示装置６が図柄を変動表示する。なお、表示装置６が図柄を変動表示している間に、始動入賞口８に入賞した入賞球は、例えば、４個まで累積カウントされる。
【００２１】
また同様に、遊技球が始動入賞口８に入賞した際には、別のカウンタから乱数が取得されるとともにその取得された乱数と確率変動（以下、確変と略記する）モード抽選テーブルとを参照して確変モード（高確率状態）に移行するかどうかの抽選が行われる。この抽選により確変モードへの移行を獲得すると、後述するように、確変モードへの移行が確定された後に、その旨が表示装置６に表示される。
【００２２】
下側入賞口８Ａには、下側入賞口８Ａを開閉する開閉扉８Ｂが付設されており、かかる開閉扉８Ｂは、遊技球が始動ゲート１１を通過したことが検出された際に、図示しないソレノイドを介して下側入賞口８Ａを開閉する。
【００２３】
大入賞口９は、横長に形成されて、常には、可動扉９Ａにて閉鎖されている。そして、前記のように大当たりが確定することによって、遊技盤２の裏に設けたソレノイドが駆動され、可動扉９Ａが所定期間に亘って前側に倒れ、大当たり遊技が開始される（図１の状態）。これにより、大入賞口９が開放され、可動扉９Ａを案内にして、大入賞口９に多くの遊技球が入賞可能になる。ここで、可動扉９Ａが、開放してから閉じるまでの間を「ラウンド」と称すると、１つのラウンドは、可動扉９Ａの開放時間が３０秒に達したか、又は、大入賞口９に遊技球が１０個入賞したか、の何れかの条件が先に満たされた場合に終了する。尚、本実施形態では、１回の「大当たり遊技」は、最大で１６ラウンドまで継続して行われる。また、本実施形態では、実行可能な残りのラウンド数は、表示装置６のラウンド表示部にて表示される。
【００２４】
表示装置６は、センター役物５の後端面に、図示しない液晶モジュール（詳細には、ＴＦＴ−ＬＣＤモジュール）を組み付けてなる。
表示装置６には、通常は、左、中、右の３つの特別図柄が、横並びに表示されている。これら各特別図柄は、例えば、「０」〜「１１」の数字を表記した複数種類のもので構成されており、通常は、各特別図柄ごとに、所定の種類のものが、確定表示されている。そして、始動入賞口８に遊技球が入賞したときに、各特別図柄が、上下方向にスクロールして変動表示され、所定時間後に、例えば、左、中、右の順で各特別図柄が停止表示される。このとき、例えば、全ての特別図柄が同じ図柄、即ち、ぞろ目になった場合に、「大当たり遊技」が開始され、可動扉９Ａが開かれる。
【００２５】
特別図柄の表示領域の左下隅には、普通図柄表示領域が設けられている。この普通図柄表示領域は、始動ゲート１１内に設けた検出スイッチが遊技球の通過を検出したときに、例えば、「０」〜「９」までの数字を所定期間に亘って変動表示した後、所定の数字を確定表示する。そして、確定表示された数字が、例えば、奇数の場合に、下側入賞口８Ａに付設された開閉扉８Ｂが所定期間（例えば、０．４秒）に亘って横に倒される。また、普通図柄表示領域が変動表示している間に始動ゲート１１を通過した遊技球は、例えば、４つまで累積カウントされ、例えば、図示しないＬＥＤの点灯数で表示される。
【００２６】
続いて、センター役物５の右下側に付設された本実施形態に係る入賞装置４０について図２乃至図８に基づき説明する。
かかる入賞装置４０は、前記した大当たり遊技及び確変モード移行可能状態を獲得した後、大当たり遊技中に確変モードへの移行を確定する機能を有する。
【００２７】
先ず、入賞装置４０の周辺構造について説明すると、センター役物５の右下端部には、遊技球を導入する導入口２０が形成されるとともに、導入口２０に連続して形成され導入口２０から導入された遊技球を誘導案内する案内路２１が形成されている。
【００２８】
導入口２０の近傍には、導入口２０を開閉する入賞扉２９Ａが開閉可能に付設されている。また、案内路２１は、後述する入賞装置４０の遊技球受け入れ孔５８に連続されており、案内路２１の終端には、センサ２２が配置されている。このセンサ２２は、案内路２１に入球した遊技球の個数をカウントするために使用される。
【００２９】
ここで、入賞扉２９Ａを開閉する駆動機構２３について、図３及び図４に基づき説明する。
入賞扉２９Ａの駆動機構２３は、図３及び図４に示すように、プランジャ２４に駆動部材２５が取り付けられたソレノイド２６、駆動部材２５に駆動連結されたリンク部材２７、リンク部材２７に回動可能に連結された中間部材２８、中間部材２８に回動可能に軸支された扉部材２９から構成されている。
尚、ソレノイド２６は、大当たり遊技中の１つの所定ラウンドにおいて、可動扉９Ａの開放時間が３０秒に達したか、又は、大入賞口９に遊技球が１０個入賞するまでの時間オンされる。
【００３０】
具体的に、ソレノイド２６に設けられたプランジャ２４の先端には、２つの円板部材３０、３１が固設されており、また、円板部材３０とソレノイド２６のケース下面との間にはコイルバネ３２が介装されている。コイルバネ３２は、ソレノイド２６のオフ時に、その付勢力により、図３、図４中プランジャ２４を下方に付勢している。
【００３１】
駆動部材２５の一面側（前面側）は開放されて、正面視で「Ｈ」字状の内部構造を有し、底壁２５Ａの両側に側壁２５Ｂ、２５Ｂが一体に形成されるとともに、各側壁２５Ｂ、２５Ｂの上部からは水平部２５Ｃが内側に向かって延設されている。また、駆動部材２５の他面側（後面側）は壁部で閉鎖されており、壁部には長孔（図示せず）が形成されている。
【００３２】
前記のように構成された駆動部材２５とソレノイド２６のプランジャ２４とを連結するには、駆動部材２５の開放側から各水平部２５Ｃを、ソレノイド２６のプランジャ２４に固設された円板部材３０と３１との間に挿嵌すればよく、プランジャ２４と駆動部材２５とを簡単に連結することができる。
【００３３】
リンク部材２７は、平板部２７Ａ、曲折部２７Ｂ及び平板状の連結部２７Ｃから一体に形成されている。平板部２７Ａには、駆動部材２５の壁部に形成された長孔にスライド可能に遊嵌される連結ピン（図示せず）が立設されている。連結部２７Ｃには、中間部材２８に形成される連結ピンを回動可能に軸支する連結孔２７Ｄが形成されている。
【００３４】
中間部材２８は、平面視でコ字状のレール状部２８Ａ、及び、レール状部２８Ａの側壁から突出する作動部２８Ｂとから一体に形成されている。レール状部２８Ａの壁面（図３、図４において奥側の壁面）には、連結ピン（図示せず）が突設されており、かかる連結ピンは、リンク部材２７の連結部２７Ｃに形成された連結孔２７Ｄに回動可能に軸支される。また、作動部２８Ｂには、略正方形状の遊嵌孔２８Ｃが形成されている。遊嵌孔２８Ｃには、後述する扉部材２９に形成される連結ピン２９Ｄが遊嵌される。
【００３５】
扉部材２９は、入賞扉２９Ａ、入賞扉２９Ａの側壁から水平に延設された回動軸２９Ｂ及び回動軸２９Ｂの開放側端部に設けられた板状の作動部２９Ｃから一体に形成されている。入賞扉２９Ａは、前記したセンター役物５に形成された導入口２０を開閉する。回動軸２９Ｂは、センター役物５の所定箇所に回動自在に支持される。板状の作動部２９Ｃには、連結ピン２９Ｄが水平に延設されており、かかる連結ピン２９Ｄは中間部材２８の作動部２８Ｂに形成された遊嵌孔２８Ｃに遊嵌される。
【００３６】
続いて、前記のように構成された駆動機構２３の動作につき図３乃至図６に基づき説明する。駆動機構２３は、前記した大当たり遊技に当選し、且つ、確変モード移行可能状態を獲得した後、大当たり遊技中の所定ラウンド（例えば、全１６ラウンドにおける１６番目のラウンド）が開始される際に作動する。
【００３７】
常には、駆動機構２３のソレノイド２６はオフ状態にあり、入賞扉２９Ａは、図３、図４に示す状態にあり、導入口２０を閉鎖している。そして、大当たり遊技中の所定ラウンドが開始される時点で、ソレノイド２６に対してオン信号が入力され、ソレノイド２６が励磁される。これによりプランジャ２４は、コイルバネ３２の付勢力に抗してソレノイド２６内に引き込まれ、プランジャ２４の先端に取り付けられた駆動部材２５もソレノイド２６側に移動される。駆動部材２５の移動により、駆動部材２５の長孔にスライド可能に遊嵌されたリンク部材２７の平板部２７Ａに形成された連結ピンは、長孔内を端部に向かって移動される。この結果、リンク部材２７の連結孔２７Ｄ側が、図５、図６に示すように、矢印Ａに沿って上方に回動され、これに伴い連結孔２７Ｄに回動支持された中間部材２８の連結ピンと共に、中間部材２８も矢印Ｂに沿って上方に移動される。更に、このように中間部材２８が上方に移動されると、遊嵌孔２８Ｃに遊嵌された扉部材２９の連結ピン２９Ｄを介して作動部２９Ｃと入賞扉２９Ａは、回動軸２９Ｂの回りに矢印Ｃ方向に回動される。これにより、入賞扉２９Ａは導入口２０を開放する。
【００３８】
続いて、入賞装置４０について図７、図８に基づき説明する。入賞装置４０は、図７、図８に示すように、ケース４１内に収納された状態でユニット化されてセンター役物５に取り付けられている。入賞装置４０は、入賞扉２９Ａにより導入口２０が開放されている状態で、入賞装置４０内に入球した遊技球を、後述する第１経路６１又は第２経路６２に振り分けるものであるが、遊技球が第２経路６２に入球することにより、確変モード移行可能状態から確変モード確定状態となる。
図７、図８において、入賞装置４０の右上隅には、ソレノイド４２が配設されている。ソレノイド４２のプランジャ４３の先端には円板４４が固設されており、また、ソレノイド４２のケースと円板４４の間でプランジャ４３にはコイルバネ４５が介装されている。コイルバネ４５は、ソレノイド４２のオフ時に、その円板４４に対する付勢力によりプランジャ４３を外側（図７、図８中左側）に付勢している。
尚、ソレノイド４２は、大当たり遊技中の１つの所定ラウンドにおいて、駆動機構２３のソレノイド２６がオンされている間、所定時間間隔で間欠的オン・オフが繰り返される。例えば、２秒毎にオン・オフ動作が繰り返される。
【００３９】
プランジャ４３の円板４４には、逆Ｌ字状の駆動部材４６が取り付けられている。かかる駆動部材４６には、連結ピン４７が立設されており、連結ピン４７は、後述するリンク部材４８の第１長孔４９内をスライド可能に挿嵌されている。
【００４０】
駆動部材４６に近接して、リンク部材４８が回動支持部５０の回りに回動可能にケース４１内で支持されている。リンク部材４８には、その長手方向に沿って２つの第１長孔４９及び第２長孔５１が形成されている。第１長孔４９には、前記したように、駆動部材４６の連結ピン４７が挿嵌され、また、第２長孔５１には、後述するスライド扉５２の後端部５３に立設された連結ピン５４が挿嵌される。
【００４１】
リンク部材４８の内側には、スライド扉５２が配置されており、かかるスライド扉５２の後端部５３（図７、図８中右側端部）には、連結ピン５４が立設されている。この連結ピン５４は、リンク部材４８の第２長孔５１にスライド可能に挿嵌されている。
尚、ケース４１の内部には、下側壁部５５と後述する遊技球案内部材５９とによりスライド扉収納部５６が設けられており、スライド扉収納部５６を画成する下側壁部５５と遊技球案内部材５９における垂直壁部５９Ｂの下端との間にスライド扉５２の先端部を出入可能とする出入口５７が形成されている。
【００４２】
ケース４１の外側中央上縁部には、センター役物５に形成された案内路２１を誘導案内された遊技球を受け入れる正方形状の遊技球受け入れ孔５８が形成されている。また、ケース４１の内部において、遊技球受け入れ孔５８の下方には、遊技球案内部材５９が設けられている。かかる遊技球案内部材５９は、下方に向かって緩やかに傾斜した傾斜部５９Ａ及び傾斜部５９Ａから下方に垂設された垂直壁部５９Ｂが一体に形成されてなる。
【００４３】
遊技球案内部材５９、下側壁部５５及びケース４１にて曲線線状に形成された前壁部４１Ａにより画成される空間は、遊技球受け入れ孔５８に連続する遊技球振り分け部６０を構成している。遊技球振り分け部６０の下方において、２つの第１経路６１及び第２経路６２が設けられている。図７、図８に示すように、第１経路６１は前記スライド扉５２から左側に離間して設けられ、第２経路６２はスライド扉５２の右側に近接して設けられている。
【００４４】
第１経路６１の入口には第１遊技球検出センサ６３が配設されており、第１遊技球検出センサ６３には遊技球を通過させる入口孔６４が設けられている。第１遊技球検出センサ６３からの検出信号は、第１経路６１に入球した遊技球の個数をカウントする際に使用される。遊技球振り分け部６０から入口孔６４を経て第１経路６１を通過した遊技球は、出口孔６５からパチンコ遊技機１の内部に取り入れられる。
【００４５】
第２経路６２の入口には第２遊技球検出センサ６６が配設されており、第２遊技球検出センサ６６には遊技球を通過させる入口孔６７が設けられている。第２遊技球検出センサ６６からの検出信号は、第２経路６２に入球下遊技球の個数をカウントする際に使用される。遊技球振り分け部６０から入口孔６７を経て第２経路６２を通過した遊技球は、出口孔６８からパチンコ遊技機１の内部に取り入れられる。
【００４６】
第２遊技球検出センサ６６に設けられた入口孔６７の左側外端縁の外側近傍位置には、入口孔６７の内側に向かって下方に傾斜する傾斜部７０が形成されている。かかる傾斜部７０は、後述するように、遊技球振り分け部６０にて振り分けられて第２経路６２に向かって落下してくる遊技球を入口孔６７に誘導案内して入口孔６７から第２経路６２に確実に誘導案内する。
【００４７】
遊技球振り分け部６０の上方位置には緩衝壁６９が設けられている。かかる緩衝壁６９は、遊技球受け入れ孔５８から受け入れられ遊技球案内部材５９の傾斜部５９Ａに沿って移動してくる遊技球に衝突することにより、遊技球の勢いを低減する。このように遊技球の勢いが低減することにより、遊技球を緩衝壁６９に衝突した後に鉛直方向に落下させることが可能となり、これにより遊技球を確実に第２遊技球検出センサ６６の入口孔６７から第２経路６２に誘導案内することができる。
【００４８】
また、図８にて垂線Ｌ１で示すように、緩衝壁６９の壁面６９Ａは、入口孔６７の外端縁と同一垂線状に配置されている。これにより、緩衝壁６９で勢いが低減された遊技球が鉛直方向に落下する場合においても、遊技球を略確実に入口孔６７に入球させることができる。
【００４９】
更に、図８にて水平線Ｌ２で示すように、緩衝壁６９の下端縁６９Ｂは、遊技球案内部材５９の先端縁５９Ｃと同一水平線上に配置されている。これにより、遊技球案内部材５９の傾斜部５９Ａに沿って移動し先端縁５９Ｃを通過する遊技球は、確実に緩衝壁６９に衝突させることができ、この結果、上記構成とも相まって、遊技球を常時確実に入口孔６７に入球させることが可能となるものである。
【００５０】
前記のように構成された遊技球振り分け部６０においては、後述するように、ソレノイド４２のオフ・オンに対応してスライド扉５２を出入口５７から出入させることにより、遊技球を第１経路６１又は第２経路６２に選択的に誘導する。
【００５１】
このような遊技球振り分け部６０における遊技球振り分け動作について、以下に詳細に説明する。先ず、大当たり遊技中であっても所定ラウンド（例えば、１６回目のラウンド）でない場合には、入賞扉２９Ａの開閉を行う駆動機構２３のソレノイド２６と同様、ソレノイド４２はオフ状態に維持されている。
このとき、図７に示すように、ソレノイド４２のプランジャ４３は、コイルバネ４５の付勢力により左側に突出された状態にある。また、駆動部材４６の連結ピン４７は、リンク部材４８の第１長孔４９内で略中央位置にあり、同時に、スライド扉５２の連結ピン５４はリンク部材４８の第２長孔５１内で略上端位置にある。かかる状態においては、図７に示すように、リンク部材４８は略直立状態に配置されるとともに、スライド扉５２の先端は出入口５７から突出されて第２遊技球検出センサ６６の入口孔６７を上方で閉鎖している。
【００５２】
そして、大当たり遊技中の所定ラウンド（例えば、１６回目のラウンド）が開始されると、その開始時点で、入賞扉２９Ａの駆動機構２３におけるソレノイド２６がオンされる。これにより、前記したように、入賞扉２９Ａが図５、図６に示すように回動され、センター役物５の導入口２０が開放される。
【００５３】
ソレノイド２６のオンと同時に、入賞装置４０におけるソレノイド４２が先ず所定時間オンされる。
これにより、図８に示すように、ソレノイド４２のプランジャ４３は、コイルバネ４５の付勢力に抗して突出位置から後退位置に移動される。かかる動作に基づき、駆動部材４６の連結ピン４７は、リンク部材４８の第１長孔４９内で下方に移動され、同時に、スライド扉５２の連結ピン５４もリンク部材４８の第２長孔５１内で下方に移動される。かかる状態においては、図８に示すように、リンク部材４８は右側に傾斜した状態となり、スライド扉５２の先端は出入口５７から後退されて第２遊技球検出センサ６６の入口孔６７を上方で開放する。
【００５４】
前記のように、入賞扉２９Ａによりセンター役物５の導入口２０が開放されるとともに、入賞装置４０にてスライド扉５２により第２遊技球検出センサ６６の入口孔６７が開放されている状態で、導入口２０から遊技球が入球し、案内路２１、遊技球受け入れ孔５８を経て入賞装置４０内に誘導案内されると、遊技球は、遊技球案内部材５９の傾斜部５９Ａに沿って斜め下方に誘導案内されるとともに、その勢いで緩衝壁６９に衝突される。
【００５５】
前記のように遊技球が緩衝壁６９に衝突すると、遊技球の勢いは低減される。このように遊技球の勢いが低減されることにより、遊技球は、図８に示すように、緩衝壁６９に衝突した後に鉛直方向に落下されていく。これにより遊技球を確実に第２遊技球検出センサ６６の入口孔６７から第２経路６２に誘導案内することができる。
このように、第２経路６２に誘導案内された遊技球が検出されると、前記したように、確変モード移行可能状態から、確変モード確定状態となり、大当たり遊技が終了した後、確変モードに突入する。
【００５６】
これに対して、前記のように駆動機構２３のソレノイド２６がオンされて入賞扉２９Ａによりセンター役物５の導入口２０が開放された状態で、入賞装置４０のソレノイド４２がオフされると、図７に基づき説明したように、スライド扉５２の先端は出入口５７から突出されて第２遊技球検出センサ６６の入口孔６７を上方で閉鎖する。
【００５７】
前記した状態で、導入口２０から遊技球が入球し、案内路２１、遊技球受け入れ孔５８を経て入賞装置４０内に誘導案内されると、遊技球は、遊技球案内部材５９の傾斜部５９Ａに沿って斜め下方に誘導案内されるとともに、その勢いで緩衝壁６９に衝突される。
【００５８】
前記のように遊技球が緩衝壁６９に衝突すると、遊技球の勢いは低減され、遊技球は、図７に示すように、緩衝壁６９に衝突した後に鉛直方向に落下されていく。この後遊技球は、出入口５７から突出したスライド扉５２により入口孔６７が閉鎖されているので、スライド扉５２の上面に衝突した後、上面に沿って左側に誘導案内され、第１遊技球検出センサ６３の入口孔６４から第１経路６１に誘導案内されていく。
【００５９】
以上説明した通り、本実施形態に係る入賞装置４０では、遊技球振り分け部６０にて、第２経路６２の上方で第２経路６２を閉鎖する位置と第２経路６２を開放する位置との間でスライド可能なスライド扉５２、スライド扉５２を第２経路６２を閉鎖する位置と、第２経路６２を開放する位置に移動させるソレノイド４２、及び、遊技球受け入れ孔５８から受け入れられた遊技球に衝突して遊技球の勢いを低減する緩衝壁６９を設け、スライド扉５２が第２経路６２を閉鎖する位置にある時には、遊技球受け入れ孔５８から受け入れられ緩衝壁６９に衝突した遊技球をスライド扉５２の上面に沿って第１経路６１に誘導案内する一方、スライド扉５２が第２経路６２を開放する位置にある時には、遊技球受け入れ孔５８から受け入れられた遊技球を緩衝壁６９に衝突させるとともに鉛直方向に落下させて第２経路６２に誘導案内するように構成したので、遊技球受け入れ孔５８から入賞装置４０内に入球した遊技球を必要に応じて選択的に第１経路６１又は第２経路６２に確実に誘導案内することができる。従って、第２経路６２に入球することにより遊技者に有利な状態を現出するパチンコ遊技機１において、遊技球を必要に応じて選択的に第２経路６２に確実に誘導案内可能であるから、遊技者に有利な状態を確定するに際して予測不可能な遊技性の多様化を図ることができる
特に、遊技球振り分け部６０に緩衝壁６９を設けることにより、遊技球受け入れ孔５８から受け入れられた遊技球と緩衝壁６９とを衝突することにより、遊技球の勢いを低減することが可能となり、第２経路６２が緩衝壁６９の鉛直方向に存在している場合においても遊技球を緩衝壁６９に衝突した後に鉛直方向に落下させて確実に第２経路６２に確実に誘導案内することができる。
【００６０】
また、第２経路６２の入口に入口孔６４を設け、緩衝壁６９の壁面と入口孔６７の外端縁とを、同一垂直線上に配置するように構成したので、緩衝壁６９で勢いが低減された遊技球が鉛直方向に落下する場合においても、遊技球を略確実に入口孔６７に入球させることができる。
【００６１】
更に、入口孔６７の外端縁における外側近傍位置に、入口孔６７の内側に向かって下方に傾斜する傾斜部７０を形成したので、傾斜部７０を介して遊技球振り分け部６０にて振り分けられて第２経路６２に向かって落下してくる遊技球を入口孔６７に誘導案内して入口孔６７から第２経路６２に確実に誘導案内することができる。
【００６２】
また、遊技球受け入れ孔５８から受け入れられた遊技球を遊技球振り分け部６０に誘導案内する案内部材５９を設け、緩衝壁６９の下端縁を、案内部材５９の先端縁との同一水平線上に配置したので、案内部材５９により案内され、案内部材５９の先端縁を通過する遊技球を確実に緩衝壁６９に衝突させて遊技球の勢いを低減することができる。
【００６３】
尚、本発明は、前記実施形態に限定されるものではなく、本発明の要旨を逸脱しない範囲内で種々の改良、変形可能であることは勿論である。
例えば、前記実施形態では、緩衝壁６９の下端縁を、案内部材５９の先端縁との同一水平線上に配置するように構成していたが、図９に示すように、緩衝壁６９の下端縁６９Ｃを案内部材５９の先端縁よりも下方に配置することも可能である。かかる場合には、緩衝壁６９の下端縁６９Ｃの方が案内部材５９の先端縁よりも下方位置に存在していることから、更に確実に遊技球を緩衝壁６９に衝突させることができるとともに、更に鉛直方向へ確実に誘導案内することができる。
また、前記実施形態では、ソレノイド４２が間欠的にオン・オフされる駆動タイミングを２秒毎に設定したが、これに限定されることはない。例えば、第１経路６１に入球される遊技球の数と第２経路に入球される遊技球の数との比率を変更して遊技性を変更する場合には、ソレノイド４２のオン・オフ駆動タイミングを変更すれば良い。具体的に、第１経路６１に入球する遊技球の数を第２経路に入球する遊技球の数を多くする場合には、ソレノイド４２のオン時間を長く設定（５秒）するとともに、ソレノイド４２のオフ時間を短く設定（２秒）すればよい。これに対して、第２経路６２に入球する遊技球の数を第１経路に入球する遊技球の数よりも多くする場合には、ソレノイド４２のオン時間を長く設定（５秒）するとともに、ソレノイド４２のオフ時間を短く設定（２秒）すればよい。このように、ソレノイド４２のオン・オフ時間の比率を任意に変更することにより、確変モード移行可能状態から確変モード移行を確定する際における遊技性の多様化を実現することができる。
更に、緩衝壁６９にて、遊技球が衝突する面に、樹脂フィルム、ゴム等の各種材料から形成された緩衝シートを貼付することも可能である。このように緩衝シートを貼付することにより、遊技球の勢いを更に低減することが可能となる。
【符号の説明】
【００６４】
１            パチンコ遊技機
５            センター役物
４０          入賞装置
４２          ソレノイド
４３          プランジャ
４８          リンク部材
５２          スライド扉
５８          遊技球受け入れ孔
５９          案内部材
５９Ａ        傾斜部
６０          遊技球振り分け部
６１          第１経路
６２          第２経路
６４          入口孔
６７          入口孔
６９          緩衝壁
７０          傾斜部
Ｌ１          垂直線
Ｌ２          水平線
【図１】
2014200629.tif 000003
【図２】
2014200629.tif 000004
【図３】
2014200629.tif 000005
【図４】
2014200629.tif 000006
【図５】
2014200629.tif 000007
【図６】
2014200629.tif 000008
【図７】
2014200629.tif 000009
【図８】
2014200629.tif 000010
【図９】
2014200629.tif 000011